(57)【特許請求の範囲】
【請求項１】
建具本体の浴室側と枠体の下枠との間に介設した第１シール部材と、前記建具本体の脱衣室側と前記下枠との間に介設した第２シール部材と、前記下枠の浴室側に配設され浴室床の排水を受ける排水溝と、前記下枠に形成され前記第１シール部材で止水した浴室床の一次止水排水を前記排水溝に流下させる一次排水開口と、前記下枠に形成され前記第２シール部材で止水した浴室床の二次止水排水を前記排水溝に流下させる二次排水開口とを備え、
前記一次排水開口から流下した一次止水排水と、前記二次排水開口から流下した二次止水排水とを合流させて前記排水溝に導くようにした浴室の排水構造において、
前記合流部の上流側の二次排水流路には、前記一次止水排水の前記二次排水開口側への流入を阻止すると共に、前記二次止水排水の前記排水溝側への流入を許容する逆止弁が介設され、
前記第１シール部材の浴室側であってこれと前記一次排水開口との間に位置して前記建具本体には、前記浴室床から下枠に流れ込んだ排水を制水する鰭片が垂設されていることを特徴とする浴室の排水構造。
【請求項２】
前記逆止弁は、上端部を支点として揺動自在に垂設された弁体と、当該弁体が密接する弁座とを有し、
前記弁体は、自由状態で前記弁座との間に間隙を存して下流側にわずかに傾いていることを特徴とする請求項１に記載の浴室の排水構造。
【請求項３】
前記逆止弁は、弁座を備えると共に前記二次排水流路に着脱可能に装着されるケースと、当該ケースに揺動自在に垂設された弁体とを有していることを特徴とする請求項１に記載の浴室の排水構造。
【請求項４】
前記逆止弁と前記一次排水開口とは、見付け方向において相互に位置ずれして配設されていることを特徴とする請求項１、２または３に記載の浴室の排水構造。
【請求項５】
建具本体の浴室側と枠体の下枠との間に介設した第１シール部材と、前記建具本体の脱衣室側と前記下枠との間に介設した第２シール部材と、前記下枠の浴室側に配設され浴室床の排水を受ける排水溝と、前記下枠に形成され前記第１シール部材で止水した浴室床の一次止水排水を前記排水溝に流下させる一次排水開口と、前記下枠に形成され前記第２シール部材で止水した浴室床の二次止水排水を前記排水溝に流下させる二次排水開口とを備え、
前記一次排水開口から流下した一次止水排水と、前記二次排水開口から流下した二次止水排水とを合流させて前記排水溝に導くようにした浴室の排水構造において、
前記合流部には、前記一次排水開口に対応して設けられ、前記一次排水開口から流下した前記一次止水排水の流れを前記排水溝に直接導くようガイドするガイド部材が設けられていることを特徴とする浴室の排水構造。
【請求項６】
前記ガイド部材と前記合流部の上流側の二次排水流路とは、見付け方向において相互に位置ずれして配設されていることを特徴とする請求項５に記載の浴室の排水構造。
【請求項７】
前記一次排水開口は、上下配設された上排水開口と下排水開口とを有し、
前記上排水開口と前記下排水開口とは、見付け方向において相互位置ずれして配設されていることを特徴とする請求項１ないし６のいずれかに記載の浴室の排水構造。
【請求項８】
前記第１シール部材の浴室側であってこれと前記一次排水開口との間に位置して前記建具本体には、前記浴室床から下枠に流れ込んだ排水を制水する鰭片が垂設されていることを特徴とする請求項５ないし７のいずれかに記載の浴室の排水構造。
【発明の詳細な説明】
【０００１】
【発明の属する技術分野】
本発明は、浴室の出入口を構成する建具廻りに、浴室の床排水を受ける排水溝を設けた浴室の排水構造に関する。
【０００２】
【従来の技術】
従来、この種の浴室の排水構造として、例えば特開平９−３０３０５９号公報に記載のものが知られている。この排水構造では、建具本体の浴室側と下枠との間に第１シール部材が介設され、且つ建具本体の脱衣室側と下枠との間に第２シール部材を介設されており、第１シール部材で止水した浴室床の一次止水排水を下枠の第１排水開口から排水溝に導くと共に、第１シール部材から漏れ第２シール部材で止水した二次止水排水を下枠の第２排水開口から排水溝に導くようにしている。
【０００３】
【発明が解決しようとする課題】
このような従来の浴室の排水構造では、一次止水排水と二次止水排水とが、それぞれ第１排水開口および第２排水開口を通過したところで合流して、排水溝に流入する。すなわち、一次止水排水の排水経路と二次止水排水の排水経路とが、排水溝の流入部側で連通している。このため、浴槽が湯が溢れなどして多量の一次止水排水が発生し、これが排水構に集中して流入すると、この排水が二次止水排水の排水経路から第２シール部材側に逆流し、第２シール部材から漏水するおそれがある。同様に、排水構に接続された排水管（浴室の主排水管に接続されている）から排水が逆流してくると、逆流した排水が、一次止水排水の排水経路のみならず二次止水排水の排水経路にも侵入し、この排水が第２シール部材から漏水するおそれがある。
【０００４】
本発明は、多量の一次止水排水や排水管からの逆流排水が、排水溝を介して脱衣室側に流れ脱衣室側に漏水するのを極力防止することができる浴室の排水構造を提供することをその目的とする。
【０００５】
【課題を解決するための手段】
本発明の浴室の排水構造は、建具本体の浴室側と枠体の下枠との間に介設した第１シール部材と、建具本体の脱衣室側と下枠との間に介設した第２シール部材と、下枠の浴室側に配設され浴室床の排水を受ける排水溝と、下枠に形成され第１シール部材で止水した浴室床の一次止水排水を排水溝に流下させる一次排水開口と、下枠に形成され第２シール部材で止水した浴室床の二次止水排水を排水溝に流下させる二次排水開口とを備え、一次排水開口から流下した一次止水排水と、二次排水開口から流下した二次止水排水とを合流させて排水溝に導くようにした浴室の排水構造において、合流部の上流側の二次排水流路には、一次止水排水の二次排水開口側への流入を阻止すると共に、二次止水排水の排水溝側への流入を許容する逆止弁が介設され、第１シール部材の浴室側であってこれと一次排水開口との間に位置して建具本体には、浴室床から下枠に流れ込んだ排水を制水する鰭片が垂設されていることを特徴とする。
【０００６】
この構成によれば、第１シール部材で止水した一次止水排水は、下枠の一次排水開口を介して排水溝に流入し、第１シール部材を通過して（漏れて）第２シール部材で止水した二次止水排水は、下枠の二次排水開口および逆止弁を介して排水溝に流入する。このとき、二次止水排水は、逆止弁を通過した後一次止水排水と合流してから排水溝に流入する。浴室に多量の床排水が発生すると、一次排水開口を介して多量の一次止水排水が流下するが、一次止水排水は、逆止弁に阻止されて二次排水開口側に流れ込むことがない。一方、排水管側から排水溝を介して排水が逆流する場合にも、この逆流排水が逆止弁に阻止されて二次排水開口側に流れ込むことがない。したがって、逆流排水が、二次排水流路を介して第２シール部材に達するのを、有効に防止することができる。
また、浴槽が溢れ走水となって流れる排水は、鰭片で制水されてから第１シール部材に到る。このため、走水が第１シール部材に勢い良く当たるのを防止することができるとともに、一次排水開口に流れ込む一次止水排水の流れ方向を浴室側に向かう方向に規制することができる。
【０００７】
この場合、逆止弁は、上端部を支点として揺動自在に垂設された弁体と、弁体が密接する弁座とを有し、弁体は、自由状態で弁座との間に間隙を存して下流側にわずかに傾いていることが、好ましい。
【０００８】
この構成によれば、二次止水排水の排水量が少ない場合でも、弁体と弁座との間の間隙から排水が排水溝に流れるため、弁体の自重により二次止水排水が堰き止められ、二次排水流路に溜まるのを防止することができる。
【０００９】
また、逆止弁は、弁座を備えると共に二次排水流路に着脱可能に装着されるケースと、ケースに揺動自在に垂設された弁体とを有していることが、好ましい。
【００１０】
この構成によれば、二次排水流路に逆止弁を簡単に組み付けることができる。また、逆止弁が故障したときには、簡単に交換することができる。
【００１１】
これらの場合、逆止弁と一次排水開口とは、見付け方向において相互に位置ずれして配設されていることが、好ましい。
【００１２】
この構成によれば、一次排水開口から流下する一次止水排水が少量である場合には、一次止水排水により逆止弁が閉塞され難く、逆止弁を介して二次止水排水を排水溝に円滑に流下させることができる。
【００１３】
本発明の他の浴室の排水構造は、建具本体の浴室側と枠体の下枠との間に介設した第１シール部材と、建具本体の脱衣室側と下枠との間に介設した第２シール部材と、下枠の浴室側に配設され浴室床の排水を受ける排水溝と、下枠に形成され第１シール部材で止水した浴室床の一次止水排水を排水溝に流下させる一次排水開口と、下枠に形成され第２シール部材で止水した浴室床の二次止水排水を排水溝に流下させる二次排水開口とを備え、一次排水開口から流下した一次止水排水と、二次排水開口から流下した二次止水排水とを合流させて排水溝に導くようにした浴室の排水構造において、合流部には、一次排水開口に対応して設けられ、一次排水開口から流下した一次止水排水の流れを排水溝に直接導くようガイドするガイド部材が設けられていることを特徴とする。
【００１４】
この構成によれば、第１シール部材で止水した一次止水排水は、下枠の一次排水開口およびガイド部材を介して排水溝に流入し、第１シール部材を通過して（漏れて）第２シール部材で止水した二次止水排水は、下枠の二次排水開口を介して排水溝に流入する。このとき、二次止水排水と一次止水排水とは下流側で合流してから排水溝に流入するが、一次止水排水がガイド部材により排水溝に円滑に流入するため、合流した二次止水排水も一次止水排水の流れに引かれて、排水溝に円滑に流入する。すなわち、ガイド部材により、一次排水開口から排水溝に到る一次止水排水の流れ方向を規制し、一次止水排水を円滑に流すことにより、この一次止水排水の流れに乗せて二次止水排水も円滑に流すことができる。このため、一次止水排水が、二次止水排水に抗して二次排水開口側に流れ込むことのを抑制することができる。
【００１５】
この場合、ガイド部材と前記合流部の上流側の二次排水流路とは、見付け方向において相互に位置ずれして配設されていることが、好ましい。
【００１６】
この構成によれば、ガイド部材が二次止水排水の流れの障害になることがなく、二次止水排水をより円滑に流すことができると共に、一次止水排水が、二次排水流路を介して二次排水開口側に流れ込むことのを極力抑制することができる。
【００１７】
これらの場合、一次排水開口は、上下配設された上排水開口と下排水開口とを有し、上排水開口と下排水開口とは、見付け方向において相互位置ずれして配設されていることが、好ましい。
【００１８】
この構成によれば、多量の一次止水排水が一次排水開口に流れ込んでも、上排水開口と下排水開口とにより、一次止水排水の流れが制水され、一次止水排水の流れ方向を下方に向かうように規制することができる。このため、一次排水開口を通過する一次止水排水の流れ方向が、二次排水流路側に向かうのを抑制することができる。また、比較的多量の流量となる一次止水排水を、２つの排水開口を介して流下させることで、排水時間を稼ぐことができる。このため、排水溝に多量の排水が瞬時に流入することがなく、排水溝が満水状態になるのを回避することができる。
【００１９】
これらの場合、第１シール部材の浴室側であってこれと一次排水開口との間に位置して建具本体には、浴室床から下枠に流れ込んだ排水を制水する鰭片が垂設されていることが、好ましい。
【００２０】
この構成によれば、浴槽が溢れ走水となって流れる排水は、鰭片で制水されてから第１シール部材に到る。このため、走水が第１シール部材に勢い良く当たるのを防止することができるとともに、一次排水開口に流れ込んむ一次止水排水の流れ方向を浴室側に向かう方向に規制することができる。
【００２１】
【発明の実施の形態】
以下、添付図面を参照して、本発明の一実施形態に係る浴室の排水構造について説明する。この浴室は、脱衣室との間に段差を無くしたバリアフリー設計のユニットバスで構成されている。図１は浴室の出入口を構成する折戸の姿図であり、同図に示すように、建具である折戸１は、枠体２に建具本体である左右の扉体３，３を組み込んで構成されている。この場合、浴室Ａの床面４と、後述する枠体２の下枠１２と、脱衣室Ｂの床面５とはほぼ面一に、すなわち段差が生じないように配設されている（図２参照）。
【００２２】
枠体２は、上枠１１、下枠１２および両縦枠１３，１３を枠組みして構成されている。各扉体３は、上框１５、下框１６および両縦框１７，７を框組みすると共に上下の中間部に横桟１８を組み込み、これに樹脂製のパネル体１９，１９を上下に嵌め込んで構成されている。右側の扉体３の上下中間位置には、脱衣室Ｂ側に引手部２１が形成され、浴室Ａ側に引手を兼ねるタオル掛け（図示せず）が取り付けられている。また、各扉体３の下框１６には、室内外を連通する換気ガラリ２２が形成されている。
【００２３】
次に、図２を参照して、枠体２の下枠１２廻りの構造について説明する。浴室Ａの床を構成する防水パン６の端部には、下枠１２を下側から覆うようにパン溝部６ａが形成され、このパン溝部６ａには、浴室Ａ側に位置して排水溝７が、また脱衣室Ｂ側に位置して下枠着座部８が、それぞれ構成されている。下枠着座部８は排水溝７より浅く形成されており、その端部は立ち上がっている。下枠着座部８には下枠１２が着座しており、特に図示しないが、下枠着座部８と下枠１２との間は適宜シールされている。排水溝７の上部開放部には蓋体９が設けられていおり、蓋体９の上面は防水パン６の床面４と面一に配設されている。
【００２４】
蓋体９は、上板片３１と上板片３１の見込み方向の端部から垂下した一対の垂下片３２，３２とで断面逆「Ｕ」字状に形成され、見付け方向において下枠１２とほぼ同一長さを有している。蓋体９の見込み方向の上端両側面には、それぞれ防水鰭片３３，３３が固着されており、浴室Ａ側の防水鰭片３３は防水パン６に密接し、脱衣室Ｂ側の防水鰭片３３は下枠１２に密接している。防水パン６を折戸１側に流れる床排水は、蓋体９の上面を流れて下枠１２に達する。また、排水溝７には、フィルタ３５を介して排水管３６が接続されている。なお、排水管３６は、図示しいないが浴室Ａの主排水管（排水トラップ）に接続されている。
【００２５】
下枠１２は、下枠着座部８に着座する中空形状の下枠本体４１と、下枠本体４１から脱衣室側に立ち上がるように延びるシール取付け片４２と、シール取付け片４２の上端から水平に延びる脱衣室見切り片４３と、下枠本体４１の上中間部に立設したレール片４４と、レール片４４の上下中間位置から浴室Ａ側に延びる水平片４５とで、一体に形成されている。シール取付け片４２には、上向きに延在する上向きシール片（第２シール部材）４７が取り付けられており、上向きシール片４７の先端部は二股に形成され、扉体（下框１６）３の脱衣室Ｂ側の下端部に密接している。
【００２６】
レール片４４の基部には、見付け方向に複数の装着開口４８が形成され、各装着開口４８には逆止弁４９が着脱可能に装着されている（詳細は後述する）。上向きシール片４７で止水された床排水は、レール片４４と上向きシール片４７との間に構成された排水開口（二次排水開口）５０から逆止弁４９を通って、排水溝７に流入する。同様に水平片４５には、見付け方向に複数の排水孔（一次排水開口）５１が形成されており、各排水孔５１は、各逆止弁４９に対し見付け方向に位置ずれして配設されている。また、各排水孔５１に対応させて、蓋体９の垂下片３２には複数の切欠き部３２ａが形成されており、排水孔５１を通過した床排水の流れが、この切欠き部３２ａを通って排水溝７に円滑に流入するようになっている。
【００２７】
一方、扉体３の下框１６には、浴室Ａ側の内面に下向きシール片（第１シール部材）５３が取り付けられ、下向きシール片５３の先端部は、レール片４４の上部に浴室Ａ側から密接している。また、下向きシール片５３の浴室Ａ側に位置して下框１６の下端には、制水鰭片５４が斜めに傾いた状態で垂設されている。蓋体９を越えて下枠１２に流れ込んだ床排水は、制水鰭片５４でその流れを制水されると共に下向きシール片５３で止水され、排水孔５１から排水溝７に流下する。また、下向きシール片５３から漏れた床排水は、上向きシール片４７で止水され、排水開口５０および逆止弁４９を通って排水溝７に流下する。
【００２８】
すなわち、下向きシール片５３で止水された床排水の一次止水排水は、排水孔５１から排水溝７に到る一次排水流路５５を通って、排水溝７に流入する一方、下向きシール片５３から漏れ上向きシール片４７で止水された床排水の二次止水排水は、排水開口５０から逆止弁４７を経て排水溝７に到る二次排水流路５６を通って、排水溝７に流入する。そして、二次排水流路５６の逆止弁４９以降の下流部と一次排水流路５５とは兼用されており、二次止水排水は一次止水排水に合流してから、排水溝７に流入する。排水溝７に流入した床排水は、フィルタ３５を通過して排水管３６に流入する。
【００２９】
ここで、図３を参照して、上記の装着開口４８に装着される逆止弁４９の一例について説明する。この逆止弁４９は、弁座６２を形成したケース６１と、弁座６２に密接する弁体６３とで構成され、弁体６３は左右の軸部６４，６４により、ケース６１に揺動自在に軸支されている。ケース６１の両外側部には楔状の抜止め突起６５，６５が形成されており、逆止弁４９は、装着開口４８にスナップイン形式で装着されるようになっている。この逆止弁４９では、弁座６２が斜めに傾いて形成されており、この弁座６２に弁体６３が斜めに添設されている。
【００３０】
二次止水排水に比して一次止水排水の流勢が強い場合には、一次止水排水により弁体６３が弁座６２に押し付けられ、一次止水排水の排水開口５０側への流入が阻止される。逆に、一次止水排水に比して二次止水排水の流勢が強い場合には、二次止水排水により弁体６３が持ち上げられ、二次止水排水の通過が許容される。なお、弁体６３は、図２に示すように鉛直方向に垂設されていてもよい。また、弁体６３は、必ずしも一次止水排水を完璧に止水できるものでなくてもよい。
【００３１】
このように、一次止水排水と二次止水排水とが合流する部分の上流側に位置して、二次排水流路５６に逆止弁４９を介設しているため、多量の床排水が発生しても、一次止水排水が排水開口５０側へ流入（逆流）することがない。同様に、一次止水排水により排水溝７が満水になる場合や、排水管３６側の排水が逆流することがあっても、この逆流排水が逆止弁４９に阻止されて、排水開口５０側へ流入（逆流）することがない。すなわち、一次止水排水や逆流排水が二次排水流路５６に溢れ、二次排水流路５６から上向きシール片４７を越えて、脱衣室Ｂ側に漏れるのを確実に防止することができる。
【００３２】
そもそも、蓋体９を越えて下枠１２に達した床排水は、傾斜姿勢の制水鰭片５４に当たりその流れ方向を排水溝７側に指向される。このため、一次止水排水は、排水孔５１を通過して排水溝７に円滑に流れ込み、床排水の流れの勢いが下向きシール片５３側および逆止弁４９側に向かい難いものとなる。したがって、下向きシール片５３から漏れ出る二次止水排水の量も少なくすることができる。また、排水孔５１と逆止弁４９とが、見付け方向に位置ずれして設けられているため、逆止弁４９に達する一次止水排水の量も少なくすることができる。
【００３３】
次に、図４を参照して、逆止弁４９の変形例について説明する。この変形例の逆止弁４９では、装着開口４８の縁部および下枠本体４１の上面により弁座７１が構成され、弁体７２はレール片４４の中間位置に形成したビスホール７３に、揺動自在に垂設されている。弁体７２は、浴室Ａ側に逆「く」字状に屈曲しており、自由状態において、下枠本体４１の上面との間にわずかな間隙を存して垂下している。この構成では、少量の二次止水排水は、弁体７２と下枠本体４１の上面との間隙から排水溝７側に流れるため、逆止弁４９を通過するときに弁体７２の抵抗を受けることがない。したがって、二次排水流路５６に二次止水排水が溜まることがなく、二次排水流路５６が汚れたりこれにゴミが溜まるのを極力防止することができる。
【００３４】
次に、図５を参照して、第２実施形態について説明する。この実施形態は、浴室Ａの出入口に浴室ドア８１を設けた場合を示している。浴室ドア８１は、ドア本体８２とドア枠８３とで構成され、ドア枠８３の下枠８４は上記の実施形態と同様に、パン溝部６ａの下枠着座部８に着座している。この場合、下枠８４のレール片４４に代えて下枠アタッチメント８６が設けられており、下枠アタッチメント８６は水平片４５に着脱自在に装着されている。また、シール取付け片４２に代えて、脱衣室見切り片４３とは逆側に延びるシール接触片８７が形成され、このシール接触片８７と下枠アタッチメント８６との間に排水開口８８が形成されている。
【００３５】
下枠アタッチメント８６には、上記の複数の排水孔（下排水開口）５１に連なる複数のアタッチメント排水孔（上排水開口）８９が形成されている。複数のアタッチメント排水孔８９は、見付け方向に配設され、且つ各アタッチメント排水孔８９は各排水孔５１に対して見付け方向に位置ずれして配設されている。
【００３６】
一方、ドア本体８２の下框９１の下端部には、下框アタッチメント９２が装着されている。下框アタッチメント９２の下端部には、その浴室Ａ側に第１下向きシール片９３が取り付けられ、脱衣室Ｂ側に第２下向きシール片９４が取り付けられている。第１下向きシール片９３の先端部は下枠アタッチメント８６の上面に密接し、第２下向きシール片９４の先端部はシール接触片８７の上面に密接している。また、第１下向きシール片９３の浴室Ａ側には、制水鰭片９５が一体に形成されている。
【００３７】
制水鰭片９５で制水され且つ第１下向きシール片９３で止水された床排水の一次止水排水は、アタッチメント排水孔８９および排水孔５１を通過した後、一次排水流路５５を通って排水溝７に流入する。一方、第１下向きシール片９３から漏れ第２下向きシール片９４で止水された床排水の二次止水排水は、排水開口８８から二次排水流路５６を流れ、逆止弁４９を通過して排水溝７に流入する。
【００３８】
この実施形態では、勢い良く下枠側に流れてきた床排水は、制水鰭片９５で制水されるだけでなく、アタッチメント排水孔８９および排水孔５１を通過しながら十分に制水されて排水溝７に到る。また、排水溝７に到るまでに時間を要するため、急激な一次止水排水の流入で排水溝７が満水状態になるのを防止することができる。すなわち、一次止水排水を時間をかけて排水溝７に流下させることができ、排水溝７の瞬間的な満水状態を回避することができる。したがって、一次止水排水が逆流して第２下向きシール片９４の位置に達するのを、確実に防止することができる。
【００３９】
次に、図６を参照して、第３実施形態について説明する。この実施形態は第１実施形態と同一の基本形態を有しており、逆止弁４９に代えて一次排水流路５５に複数のガイド部材６７が装着されている。各ガイド部材６７は樹脂などで構成されてピースものであり、上壁と浴室Ａ側の側壁とを省略した箱状に形成されている。実施形態におけるガイド部材６７は、見付け方向に２つ設けられており、各ガイド部材６７に対応して水平片４５に形成した複数の排水孔５１も２箇所に集中して形成されている。すなわち、排水孔５１を通過した一次止水排水は、ガイド部材６７に案内されて排水溝７に導かれるようになっている。
【００４０】
また、レール片４４の基部には、第１実施形態の装着開口４８に代えて複数の水抜き孔６８が形成されおり、この複数の水抜き孔６８は、ガイド部材６７に対し見付け方向に位置ずれして配設されている。このような構成では、排水孔５１を通過した一次止水排水は、ガイド部材６７に案内されて排水溝７に直接的に導かれる。このため、一次止水排水は、水抜き孔６８を介して排水開口８８側に流入し難く、上向きシール片４７を越えて脱衣室Ｂ側に漏れるのを極力防止することができる。
【００４１】
なお、本発明の浴室の排水構造は、上記の折戸や浴室ドアの他、各種の引戸に適用できることは、言うまでもない。また、逆止弁は、その弁体を薄手の樹脂フィルムなどで構成してもよい。
【００４２】
【発明の効果】
以上のように本発明の浴室の排水構造によれば、一次排水開口を介して多量の一次止水排水が流下しても、この一次止水排水は逆止弁に阻止されて二次排水開口側に流れ込むことがない。また、排水管側から排水溝を介して排水が逆流する場合にも、この逆流排水が逆止弁に阻止されて二次排水開口側に流れ込むことがない。したがって、これら逆流排水が、二次排水流路を介して第２シール部材に達するのを有効に防止することができ、排水が脱衣室側に漏水するのを極力防止することができる。
【００４３】
また、本発明の他の浴室の排水構造によれば、ガイド部材により、一次排水開口から排水溝に到る一次止水排水の流れ方向を規制し、一次止水排水を円滑に流すことにより、この一次止水排水の流れに乗せて二次止水排水も円滑に流すことができる。このため、一次止水排水が、二次止水排水に抗して二次排水開口側に流れ込むことのを抑制することができ、排水が脱衣室側に漏水するのを極力防止することができる。
【図面の簡単な説明】
【図１】本発明の第１実施形態に係る浴室の排水構造を適用した折戸の姿図である。
【図２】第１実施形態に係る浴室の排水構造を適用した下枠廻りの縦断面図である。
【図３】第１実施形態の下枠に装着した逆止弁の一例を示す構造図である。
【図４】第１実施形態の変形例に係る逆止弁を適用した下枠廻りの縦断面図である。
【図５】第２実施形態に係る浴室の排水構造を適用した下枠廻りの縦断面図である。
【図６】第３実施形態に係る浴室の排水構造を適用した下枠廻りの縦断面図である。
【符号の説明】
１  折戸、２  枠体、３  扉体、６  防水パン、７  排水溝、１２  下枠、１６下框、３６  排水管、４７  上向きシール片、４９  逆止弁、５０  排水開口、５１  排水孔、５３  下向きシール片、５４  制水鰭片、５６  二次排水流路、６２  弁座、６３  弁体、６７  ガイド部材、６８  水抜き孔、７１  弁座、７２  弁体、８８  排水開口、８９  アタッチメント排水孔、９３  第１下向きシール片、９４  第２下向きシール片、９５  制水鰭片、Ａ  浴室、Ｂ  脱衣室
【図１】
0003595198.tif 000002
【図２】
0003595198.tif 000003
【図３】
0003595198.tif 000004
【図４】
0003595198.tif 000005
【図５】
0003595198.tif 000006
【図６】
0003595198.tif 000007